(57)【要約】【課題】  検出部の個数の削減および設置スペースの小型化を可能にする。【解決手段】  非操作状態では各センサの発光部からの光が各検出片４５の透孔４６を通って受光部により受光されている。例えばストップスイッチ１９Ｍに対する押し込み操作が行われると、検出片４５が後方に移動して透孔４６がセンサ６９Ｍの発光部・受光部間の光路からずれるため、センサ６９Ｍの発光部からの光が検出片４５により遮光される。一方、収容体４０に対する回転操作が行われると、収容体４０が回転軸を中心に回転するため、全ての検出片４５が移動して透孔４６が光路からずれて、全てのセンサの発光部からの光が検出片４５により遮光される。そして、回転操作が終ると、収容体４０はコイルばね６３の付勢力により回転し、上壁４９ｂがフランジ部４９ｃに当接して基準位置に復帰して停止する。【選択図】  図７
2005218531.tif 000002
【特許請求の範囲】
【請求項１】
複数の操作部を有する操作スイッチユニットにおいて、
前記各操作部を操作可能に収容する収容体と、
前記収容体を基準位置から変位可能で前記基準位置に復帰可能に支持する支持手段と、
前記各操作部に対する操作の有無をそれぞれ検出する検出手段と、
前記検出手段の検出結果に基づき前記収容体に対する変位操作の有無を判定する判定手段とを備え、
前記収容体は、その変位により前記各操作部がほぼ同時に操作されたのと同じ状態になるように前記支持手段により支持され、
前記判定手段は、前記検出手段が前記各操作部に対する操作有りをほぼ同時に検出すると前記収容体に対する変位操作有りと判定することを特徴とする操作スイッチユニット。
【請求項２】
前記検出手段が１つの前記操作部に対する操作有りを検出した時点からの経過時間をカウントする計時手段をさらに備え、
前記判定手段は、前記計時手段によりカウントされる前記経過時間が所定時間に達するまでに前記検出手段が残りの前記操作部に対する操作有りを検出すると、前記収容体に対する変位操作有りと判定することを特徴とする請求項１に記載の操作スイッチユニット。
【請求項３】
前記支持手段は、前記収容体を変位位置から前記基準位置への復帰方向に付勢する付勢体を備えていることを特徴とする請求項１または２に記載の操作スイッチユニット。
【請求項４】
前記付勢体の付勢力による前記収容体の前記変位位置から前記基準位置への復帰動作を前記基準位置で停止させる規制部をさらに備えることを特徴とする請求項３に記載の操作スイッチユニット。
【請求項５】
前記収容体は、その変位方向が前記操作部の操作方向と異なるように前記支持手段により支持されていることを特徴とする請求項１〜４のいずれかに記載の操作スイッチユニット。
【請求項６】
前記収容体は、前記各操作部を一列に並んだ状態で収容しており、
前記支持手段は、前記各操作部の配列方向に平行な回転軸を中心として回転自在に前記収容体を支持する支持体を備えていることを特徴とする請求項５に記載の操作スイッチユニット。
【請求項７】
前記検出手段は、前記各操作部に対応してそれぞれ配設された複数の検出部を備えることを特徴とする請求項１〜６のいずれかに記載の操作スイッチユニット。
【請求項８】
前記収容体は、前記各操作部を後方に押し込み操作可能に収容しており、
前記各操作部は、後方に延設された検出片を備え、
前記複数の検出部は、それぞれ対応する前記操作部の後方に配置され、該操作部に対する押し込み操作または前記収容体に対する変位操作に伴う前記検出片の移動を検出することを特徴とする請求項７に記載の操作スイッチユニット。
【請求項９】
請求項１〜８のいずれかに記載の操作スイッチユニットが配設された操作板と、
それぞれ複数の図柄が表示され遊技者によるスタート操作に応じて回転を開始する複数の回転リールとを備え、
前記操作スイッチユニットの前記各操作部は、前記各回転リールに対応してそれぞれ設けられ、前記各操作部に対する操作があると対応する回転リールの回転が停止するように構成されており、
前記スタート操作は前記収容体に対する変位操作により成されることを特徴とする遊技機。
【請求項１０】
請求項１〜８のいずれかに記載の操作スイッチユニットが配設された操作板と、
それぞれ複数の図柄が表示され遊技者によるメダルの投入操作またはクレジットメダルの投入指示があると回転が許可される複数の回転リールとを備え、
前記操作スイッチユニットの前記各操作部は、前記各回転リールに対応してそれぞれ設けられ、前記各操作部に対する操作があると対応する回転リールの回転が停止するように構成され、
前記クレジットメダルの投入指示は前記収容体に対する変位操作により成されるように構成されていることを特徴とする遊技機。
【発明の詳細な説明】
【技術分野】
【０００１】
本発明は、遊技者などの操作者により外部から操作可能な操作部を有する操作スイッチユニットおよびこの操作スイッチユニットを備えた遊技機に関するものである。
【背景技術】
【０００２】
３リール式の一般的なスロットマシンは、外周面に複数の図柄が描かれた３個の回転リールを一斉に回転開始するためのスタートスイッチ、各回転リールに対応する３個のストップスイッチやクレジットメダルの投入を指示するベットスイッチなどを備え、１〜３枚のメダル投入またはベットスイッチの操作後に、スタートスイッチの操作で３つの回転リールが回転を開始するとともに、入賞態様を決定するための抽選が行われる。そして、遊技者が各回転リールに対応するストップスイッチを順次操作することで対応する回転リールの回転が停止するが、上記抽選により所定の入賞態様に当選した場合には、その入賞態様に対応する図柄の組合せが揃いやすくなるように回転リールの停止制御が行われ、その図柄の組合せがメダル投入枚数に応じて有効化された１又は複数の入賞ライン上に停止すると、その入賞態様に応じて予め設定された枚数のメダルが受け皿に払い出される（例えば、特許文献１参照）。この特許文献１に記載のスロットマシンでは、ストップスイッチに対する操作の有無を検出するために、フォトインタラプタを各ストップスイッチごとに設けておき、各々のフォトインタラプタの出力信号に基づき各ストップスイッチに対する操作の有無を個別に判定するようにしている。また、ベットスイッチに対する操作の有無を検出するためにフォトインタラプタを設けておき、そのフォトインタラプタの出力信号に基づきベットスイッチに対する操作の有無を判定するようにしている。
【０００３】
【特許文献１】特開平８−２９８０４２号公報（図５、図１５）
【発明の開示】
【発明が解決しようとする課題】
【０００４】
しかし、上記従来の特許文献１に記載のスロットマシンでは、スタートスイッチ、３個のストップスイッチやベットスイッチなどの遊技者が操作する各操作部それぞれに対してフォトインタラプタなどの検出部を設けなければならず、部品点数が増大し、また、これら検出部の設置のためのスペースを要するという問題点があった。
【０００５】
本発明は、上記課題に鑑みてなされたもので、遊技者などの操作者の異なる操作を同じ検出部で検出可能にして検出部を共用することにより、検出部の個数の削減および設置スペースの小型化を可能にする操作スイッチユニットおよび当該操作スイッチユニットを備えた遊技機を提供することを目的とする。
【課題を解決するための手段】
【０００６】
上記目的を達成するために、本発明にかかる操作スイッチユニットは、複数の操作部を有する操作スイッチユニットにおいて、前記各操作部を操作可能に収容する収容体と、前記収容体を基準位置から変位可能で前記基準位置に復帰可能に支持する支持手段と、前記各操作部に対する操作の有無をそれぞれ検出する検出手段と、前記検出手段の検出結果に基づき前記収容体に対する変位操作の有無を判定する判定手段とを備え、前記収容体は、その変位により前記各操作部がほぼ同時に操作されたのと同じ状態になるように前記支持手段により支持され、前記判定手段は、前記検出手段が前記各操作部に対する操作有りをほぼ同時に検出すると前記収容体に対する変位操作有りと判定することを特徴としている（請求項１）。
【０００７】
また、前記検出手段が１つの前記操作部に対する操作有りを検出した時点からの経過時間をカウントする計時手段をさらに備え、前記判定手段は、前記計時手段によりカウントされる前記経過時間が所定時間に達するまでに前記検出手段が残りの前記操作部に対する操作有りを検出すると、前記収容体に対する変位操作有りと判定するとしてもよい（請求項２）。
【０００８】
また、前記支持手段は、前記収容体を変位位置から前記基準位置への復帰方向に付勢する付勢体を備えているとしてもよい（請求項３）。
【０００９】
また、前記付勢体の付勢力による前記収容体の前記変位位置から前記基準位置への復帰動作を前記基準位置で停止させる規制部をさらに備えるとしてもよい（請求項４）。
【００１０】
また、前記収容体は、その変位方向が前記操作部の操作方向と異なるように前記支持手段により支持されているとしてもよい（請求項５）。
【００１１】
また、前記収容体は、前記各操作部を一列に並んだ状態で収容しており、前記支持手段は、前記各操作部の配列方向に平行な回転軸を中心として回転自在に前記収容体を支持する支持体を備えているとしてもよい（請求項６）。
【００１２】
また、前記検出手段は、前記各操作部に対応してそれぞれ配設された複数の検出部を備えるとしてもよい（請求項７）。
【００１３】
また、前記収容体は、前記各操作部を後方に押し込み操作可能に収容しており、前記各操作部は、後方に延設された検出片を備え、前記複数の検出部は、それぞれ対応する前記操作部の後方に配置され、該操作部に対する押し込み操作または前記収容体に対する変位操作に伴う前記検出片の移動を検出するとしてもよい（請求項８）。
【００１４】
また、上記目的を達成するために、本発明にかかる遊技機は、請求項１〜８のいずれかに記載の操作スイッチユニットが配設された操作板と、それぞれ複数の図柄が表示され遊技者によるスタート操作に応じて回転を開始する複数の回転リールとを備え、前記操作スイッチユニットの前記各操作部は、前記各回転リールに対応してそれぞれ設けられ、前記各操作部に対する操作があると対応する回転リールの回転が停止するように構成されており、前記スタート操作は前記収容体に対する変位操作により成されることを特徴としている（請求項９）。
【００１５】
また、上記目的を達成するために、本発明にかかる遊技機は、請求項１〜８のいずれかに記載の操作スイッチユニットが配設された操作板と、それぞれ複数の図柄が表示され遊技者によるメダルの投入操作またはクレジットメダルの投入指示があると回転が許可される複数の回転リールとを備え、前記操作スイッチユニットの前記各操作部は、前記各回転リールに対応してそれぞれ設けられ、前記各操作部に対する操作があると対応する回転リールの回転が停止するように構成され、前記クレジットメダルの投入指示は前記収容体に対する変位操作により成されるように構成されていることを特徴としている（請求項１０）。
【発明の効果】
【００１６】
請求項１の発明によれば、収容体に対して変位操作が行われると、収容体に収容されている各操作部も変位することになるが、収容体は、その変位により各操作部がほぼ同時に操作されたのと同じ状態になるように支持されているため、収容体の変位による各操作部の変位が、各操作部がほぼ同時に操作されたものとして検出手段により検出されることとなる。ここで、検出手段が各操作部に対する操作有りをほぼ同時に検出すると収容体に対する変位操作有りと判定しているため、検出手段を収容体に対する変位操作の有無の検出に共用することができる。これによって、収容体に対する変位操作を検出するための専用の手段が不要となるので、その分だけ部品点数の削減および設置スペースの小型化を図ることができる。
【００１７】
また、請求項２の発明によれば、検出手段が１つの操作部に対する操作有りを検出した時点からの経過時間が所定時間に達するまでに検出手段が残りの操作部に対する操作有りを検出すると、収容体に対する変位操作有りと判定するため、検出手段による全ての操作部に対する操作有りの検出に多少のずれがある場合でも、所定時間の範囲内であれば収容体に対する変位操作有りを確実に判定することができる。
【００１８】
また、請求項３の発明によれば、支持手段は、収容体を変位位置から基準位置への復帰方向に付勢する付勢体を備えているため、操作者による収容体に対する変位操作が行われなくなると、付勢体を備えるだけの簡単な構成で、収容体を基準位置に確実に復帰させることができる。
【００１９】
また、請求項４の発明によれば、付勢体の付勢力による収容体の変位位置から基準位置への復帰動作を基準位置で停止させる規制部をさらに備えるため、操作者による収容体に対する変位操作がない状態で確実に収容体を基準位置に位置決めすることができる。
【００２０】
また、請求項５の発明によれば、収容体は、その変位方向が操作部の操作方向と異なるように支持手段により支持されているため、各操作部に対する操作と収容体に対する変位操作とで、その操作方向が互いに異なることとなるので、操作方向が同じ場合に比べて各操作を明確に区別することができ、操作性を向上することができる。
【００２１】
また、請求項６の発明によれば、収容体は、各操作部を一列に並んだ状態で収容しており、支持手段は、各操作部の配列方向に平行な回転軸を中心として回転自在に収容体を支持する支持体を備えているため、収容体に対する変位操作は回転操作となることから、各操作部に対する操作と収容体に対する回転操作とで、その操作方向が互いに異なることとなるので、操作方向が同じ場合に比べて各操作を明確に区別することができ、操作性を向上することができる。
【００２２】
また、請求項７の発明によれば、検出手段は、各操作部に対応してそれぞれ配設された複数の検出部を備えるため、各操作部に対する操作有りをそれぞれ確実に区別して検出することができる。
【００２３】
また、請求項８の発明によれば、各検出部は、操作部に対する押し込み操作または収容体に対する変位操作に伴う検出片の移動を検出するため、検出部として検出片の移動が検出可能なものを採用することによって、簡易な構成で押し込み操作および変位操作を確実に検出することができる。ここで、例えば１つの操作部に対する押し込み操作が行われると、その操作部の検出片が後方に移動し、対応する検出部によってその移動が検出されることとなる。また、例えば収容体に対する変位操作が行われると、収容体に収容されている全ての操作部が収容体と一緒に変位方向に移動するため、全ての操作部の検出片が変位方向に移動し、その移動が全ての検出部によってほぼ同時に検出されることとなる。
【００２４】
また、請求項９の発明によれば、回転リールの回転を開始させるための遊技者によるスタート操作が収容体に対する変位操作により成されるため、スタート操作のための専用のスイッチや、そのスイッチの操作を検出するための専用の検出手段が不要となるので、その分だけ部品点数の削減および設置スペースの小型化を図ることができる。
【００２５】
また、請求項１０の発明によれば、回転リールの回転を許可するための遊技者によるクレジットメダルの投入指示が収容体に対する変位操作により成されるように構成されているため、その投入指示のための専用のスイッチや、そのスイッチの操作を検出するための専用の検出手段が不要となるので、その分だけ部品点数の削減および設置スペースの小型化を図ることができる。
【発明を実施するための最良の形態】
【００２６】
＜第１実施形態＞
図１は本発明にかかる遊技機の第１実施形態であるスロットマシンの外観を示す正面図である。このスロットマシンは、たとえば図１に示すように構成されている。すなわち、図１に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。そして、この正面板９には縦長矩形の表示窓１１が設けられ、表示窓１１の内側には左・中・右の回転リール１２Ｌ，１２Ｍ，１２Ｒが配置されており、各表示窓１１からは、各回転リール１２Ｌ，１２Ｍ，１２Ｒの図柄が各々３個ずつ覗くように設定されている。
【００２７】
さらに、この操作板７には、内部に貯留されているクレジットメダルの枚数を減じてメダル投入に代える投入指示を行うためのベットスイッチ１５、左・中・右の回転リール１２Ｌ，１２Ｍ，１２Ｒの回転をそれぞれ停止させるための左・中・右ストップスイッチ１９Ｌ，１９Ｍ，１９Ｒを有する操作スイッチユニット２０、メダル投入口２１、およびクレジットメダルを払い出すための精算スイッチ２３が設けられている。また、正面板９には入賞ラインが描かれるとともに、入賞ライン中の有効ラインを表示する有効表示ランプ３１、遊技者に当選または入賞などを告知するための演出用ランプ３３、クレジットメダルの枚数を表示するメダル枚数表示器３５が配設され、操作板７の下方にはメダル払出口３７やメダル受け３９が設けられている。また、筐体３内部の各回転リール１２Ｌ，１２Ｍ，１２Ｒの下方には、メダルをメダル払出口３７に排出するためのホッパーユニット３８（図８）が配設されている。
【００２８】
図２〜図７は操作スイッチユニット２０を示す図で、図２は正面図、図３は平面図、図４は右側面図、図５は図２のＶ−Ｖ線断面図である。また、図６および図７は図２のＶ−Ｖ線断面の斜視図で、図６は右斜め前から見た状態を示し、図７は右斜め後ろから見た状態を示している。なお、図５では、説明の便宜上、中ストップスイッチ１９Ｍおよびコイルばね４７のみ側面を示している。
【００２９】
左・中・右ストップスイッチ１９Ｌ，１９Ｍ，１９Ｒは、それぞれ遊技者により後方に押し込み操作されるもので、中空の箱形状の収容体４０の内部に左右方向に一列に並んで、前後方向に移動自在に収容されている。中ストップスイッチ１９Ｍは、遊技者の指が接触する薄い円柱形状の頭部４１と、この頭部４１より多少細い円柱形状の中央部４３と、この中央部４３から後方に延設された薄板状の検出片４５とを備えている。中ストップスイッチ１９Ｍの中央部４３の周囲には、頭部４１と収容体４０の後壁４０ａとの間に、中ストップスイッチ１９Ｍを前方に向けて付勢するコイルばね４７が配設されている。このコイルばね４７によって、遊技者による押し込み操作が終わると、中ストップスイッチ１９Ｍが前方に向けて復帰移動し、頭部４１の周囲に形成されたフランジ部が収容体４０の前壁に当接することにより原位置で停止するようになっている。なお、左・右ストップスイッチ１９Ｌ，１９Ｒも、中ストップスイッチ１９Ｍと同様に構成されているので、説明を省略する。
【００３０】
収容体４０は、ほぼ直方体形状の基体４９の中央に形成された凹部５１に配設されている。この基体４９は、操作板７に固定されており、基体４９の底板４９ａには、ストップスイッチ１９Ｌ，１９Ｍ，１９Ｒの配列方向と平行に、立板５５が立設されている。この立板５５の前方側の底板４９ａには、立板５５の前面に接するように、断面が半円形状の溝５７が穿設されている。一方、収容体４０の底部の左右両端には、先端の断面が円弧形状の支持体５９がそれぞれ取り付けられている。そして、２つの支持体５９の先端の円弧部分が溝５７に嵌合している。この２つの支持体５９によって、各支持体５９の先端の円弧部分の中心を結ぶ回転軸６０（図４）を中心として回転自在に、収容体４０が基体４９に支持されている。
【００３１】
また、収容体４０の後壁４０ａの左右両端には、後方に向けて操作片６１が延設されている。この操作片６１と基体４９の底板４９ａとの間には、操作片６１を下方（すなわち底板４９ａ）に向けて付勢するコイルばね６３が配設されている。また、基体４９の上壁４９ｂには、左右方向に亘って断面がＬ字形状のフランジ部４９ｃが形成されている。また、収容体４０の上壁４０ｂは後壁４０ａからさらに後方に延設されており、その先端部分がフランジ部４９ｃの上面に当接している。そして、コイルばね６３の付勢力によって収容体４０が回転軸６０を中心として矢印５３（図５）方向に回転するように付勢されており、この回転移動はフランジ部４９ｃによって基準位置で停止されている。このように、この実施形態によれば、コイルばね６３が本発明の「付勢体」に相当し、フランジ部４９ｃが本発明の「規制部」に相当する。また、基体４９、支持体５９およびコイルばね６３によって本発明の「支持手段」が構成されている。
【００３２】
基体４９の立板５５の後方側には、立板５５と平行にセンサ基板６５が配設されている。このセンサ基板６５は、左右両端で２個のビス６７により立板５５に固定されている。このセンサ基板６５には、左・中・右ストップスイッチ１９Ｌ，１９Ｍ，１９Ｒの後方に対応する位置に、それぞれ左・中・右センサ６９Ｌ，６９Ｍ，６９Ｒが取り付けられている。左・中・右センサ６９Ｌ，６９Ｍ，６９Ｒは、それぞれ発光部および受光部を有するフォトインタラプタからなり、各ストップスイッチ１９Ｌ，１９Ｍ，１９Ｒの検出片４５を発光部および受光部が挟むように、センサ基板６５に取り付けられている。また、各ストップスイッチ１９Ｌ，１９Ｍ，１９Ｒの検出片４５には比較的小さい透孔４６が透設されている。そして、収容体４０が基準位置で停止し、かつ各ストップスイッチ１９Ｌ，１９Ｍ，１９Ｒに対する押し込み操作が行われていない状態で、各検出片４５の透孔４６が、各センサ６９Ｌ，６９Ｍ，６９Ｒそれぞれの発光部・受光部間の光路上に位置するように構成されている。
【００３３】
ここで、操作スイッチユニット２０の動作について説明する。遊技者により操作スイッチユニット２０に対する操作が行われていない状態では、各センサ６９Ｌ，６９Ｍ，６９Ｒの発光部からの光が、それぞれ検出片４５の透孔４６を通って受光部により受光されている。そして、各ストップスイッチ１９Ｌ，１９Ｍ，１９Ｒに対する押し込み操作がそれぞれ遊技者により行われると、検出片４５が後方に移動して透孔４６が対応するセンサ６９Ｌ，６９Ｍ，６９Ｒの光路からずれるため、対応するセンサ６９Ｌ，６９Ｍ，６９Ｒの発光部からの光が、それぞれ検出片４５により遮光される。さらに、遊技者による押し込み操作が終ると、各ストップスイッチ１９Ｌ，１９Ｍ，１９Ｒは、コイルばね４７の付勢力により原位置に復帰する。
【００３４】
一方、遊技者が指で収容体４０の上壁４０ｂの前方端側を下方に向けて押すことで収容体４０に対する回転操作が行われると、収容体４０が回転軸６０を中心に矢印５３と反対方向に回転して各ストップスイッチ１９Ｌ，１９Ｍ，１９Ｒも一緒に回転するため、全ての検出片４５が移動して透孔４６が全てのセンサ６９Ｌ，６９Ｍ，６９Ｒの光路からずれる。したがって、全てのセンサ６９Ｌ，６９Ｍ，６９Ｒの発光部からの光が検出片４５により遮光されることとなる。このように、収容体４０に対する回転操作が行われると、各ストップスイッチ１９Ｌ，１９Ｍ，１９Ｒがほぼ同時に押し込み操作されたのと同じ状態、すなわち遮光状態になる。そして、遊技者の指が収容体４０から離れると、収容体４０はコイルばね６３の付勢力により矢印５３方向に回転し、上壁４９ｂがフランジ部４９ｃに当接することで基準位置に復帰して停止する。このように、この実施形態によれば、左・中・右センサ６９Ｌ，６９Ｍ，６９Ｒが、それぞれ本発明の「検出部」に相当し、これらの左・中・右センサ６９Ｌ，６９Ｍ，６９Ｒによって本発明の「検出手段」が構成されている。
【００３５】
図８は第１実施形態のスロットマシンの電気的構成を示すブロック図である。投入センサ７１は、メダル投入口２１に設けられ、投入されたメダルを検知するものである。メモリ７３には遊技機用プログラムが格納されており、ＣＰＵ７５は、この遊技機用プログラムにしたがって動作すると、計時手段７５ａ、判定手段７５ｂおよび制御手段７５ｃとして機能する。計時手段７５ａは、左・中・右センサ６９Ｌ，６９Ｍ，６９Ｒのいずれかが検出片４５の移動を検出した時点からの経過時間をカウントするものである。判定手段７５ｂは、計時手段７５ａによりカウントされる経過時間と、左・中・右センサ６９Ｌ，６９Ｍ，６９Ｒによる検出結果とに基づき、操作スイッチユニット２０に対する遊技者の操作内容を判定するものである。すなわち、判定手段７５ｂは、左・中・右センサ６９Ｌ，６９Ｍ，６９Ｒが個別に検出片４５の移動を検出すると、対応するストップスイッチ１９Ｌ，１９Ｍ，１９Ｒに対する押し込み操作有りと判定し、左・中・右センサ６９Ｌ，６９Ｍ，６９Ｒがほぼ同時に検出片４５の移動を検出すると、収容体４０に対する回転操作有りと判定する。計時手段７５ａおよび判定手段７５ｂの動作について次に説明し、制御手段７５ｃの機能については後述する。
【００３６】
図９はＣＰＵ７５の判定手段７５ｂによる操作スイッチユニット２０に対する遊技者の操作内容の判定手順を示すフローチャートである。まず、左・中・右センサ６９Ｌ，６９Ｍ，６９Ｒのうちの１つが検出片４５の移動を検出すると（ステップ＃１０でＹＥＳ）、経過時間のカウントが開始され（ステップ＃１２）、次いで、残りの２つのセンサのうち１つが検出片４５の移動を検出したか否かが判別され（ステップ＃１４）、検出すると（ステップ＃１４でＹＥＳ）、最後のセンサが検出片４５の移動を検出したか否かが判別される（ステップ＃１６）。ここで、センサによる検出片４５の移動の検出がなければ（ステップ＃１４，＃１６でＮＯ）、所定時間が経過したか否かが判別され（ステップ＃１８）、所定時間が経過しなければ（ステップ＃１８でＮＯ）、ステップ＃１４に戻って、以上のステップが繰り返される。
【００３７】
そして、所定時間が経過するまでに、最後のセンサが検出片４５の移動を検出すると（ステップ＃１６でＹＥＳ）、収容体４０に対する回転操作が行われたと判定する（ステップ＃２０）。一方、残りの２つのセンサが検出片４５の移動を検出することなく（ステップ＃１４，＃１６でＮＯ）、所定時間が経過すると（ステップ＃２０でＹＥＳ）、最初にステップ＃１０で検出片４５の移動を検出したセンサに対応するストップスイッチ（左センサ６９Ｌであれば左ストップスイッチ１９Ｌ）に対する押し込み操作が行われたと判定する（ステップ＃２２）。
【００３８】
次に、図８に戻り、ＣＰＵ７５の制御手段７５ｃによって制御されるスロットマシン１における遊技の一例について説明する。このスロットマシン１では、投入センサ７１によりメダル投入口２１からのメダル投入が検出されるか、またはベットスイッチ１５の操作によりクレジットメダルの投入指示があると、ゲームが開始されて回転リール１２Ｌ，１２Ｍ，１２Ｒの回転が許可される。この実施形態では、たとえばベットスイッチ１５の操作ごとに１枚のクレジットメダルが投入されるようになっており、３回まで操作可能になっている。なお、ベットスイッチ１５の機能はこれに限られず、１回の操作で３枚のクレジットメダルが投入される最大ベットを指示するものとしてもよい。
【００３９】
そして、ゲーム開始後に判定手段７５ｂが収容体４０に対する回転操作有りと判定すると、まず、当選か否かの抽選が行われ、ほぼ同時に、３個すべての回転リール１２Ｌ，１２Ｍ，１２Ｒの回転が開始する。回転リール１２Ｌ，１２Ｍ，１２Ｒの回転は、たとえばそれぞれステッピングモータ（図示省略）の駆動により行われる。その後に、判定手段７５ｂが遊技者によるストップスイッチ１９Ｌ，１９Ｍ，１９Ｒのいずれかに対する押し込み操作有りと判定すると、当該ストップスイッチ１９Ｌ，１９Ｍ，１９Ｒに対応した回転リール１２Ｌ，１２Ｍ，１２Ｒの回転を停止させる。そして、遊技者が３個すべてのストップスイッチ１９Ｌ，１９Ｍ，１９Ｒに対する押し込み操作を行うと、３個すべての回転リール１２Ｌ，１２Ｍ，１２Ｒの回転が停止する。このとき、所定の図柄が所定の位置に停止すると入賞になり、ホッパーユニット３８により遊技者に対して所定枚数のメダルが払い出されるか、又は遊技者に対してリプレイなどの所定の利益が付与される。なお、メダルの払い出しに代えて、クレジットメダルとして内部に貯留されることもある。
【００４０】
以上説明したように、第１実施形態によれば、回転リール１２Ｌ，１２Ｍ，１２Ｒの回転開始のためのスタート操作が収容体４０に対する回転操作により成されるため、回転を開始させるための専用のスイッチが不要になるので、部品点数を削減することができる。また、左・中・右センサ６９Ｌ，６９Ｍ，６９Ｒがほぼ同時に検出片４５の移動を検出すると、収容体４０に対する回転操作有りと判定しているため、ストップスイッチ１９Ｌ，１９Ｍ，１９Ｒに対する押し込み操作を検出するためのセンサを収容体４０に対する回転操作の検出に共用することができ、これによって、収容体４０に対する回転操作を検出するための専用のセンサが不要になるので、部品点数を削減することができるとともに、センサを配置する基板の小型化を図ることができる。また、部品点数の削減により部品の故障によるスロットマシン１の故障発生率を低減することができる。
【００４１】
また、収容体４０に対する回転操作によって、左・中・右センサ６９Ｌ，６９Ｍ，６９Ｒはほぼ同時に検出片４５の移動を検出することになると考えられるが、検出のタイミングに多少のずれがある場合でも、所定時間の範囲内であれば遊技者の収容体４０に対する回転操作を確実に判定することができる。なお、この所定時間は、あまり長い値に設定するとストップスイッチに対する押し込み操作の判定に時間を要することになるので、可能な限り短い値に設定するのが好ましい。
【００４２】
また、収容体４０を矢印５３の方向に付勢するコイルばね６３を備えているため、遊技者による矢印５３と反対方向の回転操作が行われなくなると、収容体４０を確実に基準位置に復帰させることができる。また、収容体４０の上壁４０ｂが当接するフランジ部４９ｃを基体４９が備えているため、コイルばね６３の付勢力による収容体４０の回転移動を基準位置で確実に停止させることができる。また、各ストップスイッチ１９Ｌ，１９Ｍ，１９Ｒの後方に、それぞれ左・中・右センサ６９Ｌ，６９Ｍ，６９Ｒを配置しているため、各ストップスイッチ１９Ｌ，１９Ｍ，１９Ｒに対する押し込み操作をそれぞれ確実に区別して検出することができる。また、各ストップスイッチ１９Ｌ，１９Ｍ，１９Ｒは、それぞれ後方に延設された検出片４５を備えているため、各ストップスイッチ１９Ｌ，１９Ｍ，１９Ｒに対する押し込み操作や収容体４０に対する回転操作に伴って検出片４５が移動することから、左・中・右センサ６９Ｌ，６９Ｍ，６９Ｒを備えた簡易な構成で確実に検出することができる。
【００４３】
＜第２実施形態＞
図１０は本発明にかかる遊技機の第２実施形態であるスロットマシンの外観を示す正面図、図１１は図１０のスロットマシンの電気的構成を示すブロック図である。なお、図１０、図１１では、第１実施形態と同一要素には同一符号を付している。また、第２実施形態のスロットマシンの操作スイッチユニットは図２〜図７を参照して説明した第１実施形態と同一であるので、説明を省略する。以下では、第１実施形態と異なる点を中心に説明する。
【００４４】
この第２実施形態のスロットマシン１では、図１０、図１１に示すように、第１実施形態のベットスイッチ１５（図１、図８）を備えておらず、これに代えて、スタートスイッチ１７を備えている。
【００４５】
次に、図１１において、ＣＰＵ７５の制御手段７５ｃによって制御される第２実施形態のスロットマシン１における遊技の一例について説明する。この第２実施形態のスロットマシン１では、遊技者が収容体４０に対して回転操作を行うと、クレジットメダルの投入指示として制御を行っている。すなわち、投入センサ７１によりメダル投入口２１からのメダル投入が検出されるか、または収容体４０に対する回転操作有りと判定されると、ゲームが開始されて回転リール１２Ｌ，１２Ｍ，１２Ｒの回転が許可される。この実施形態では、たとえば収容体４０の回転操作ごとに１枚のクレジットメダルの投入指示が行われるようになっており、収容体４０は３回まで回転操作が可能になっている。なお、収容体４０の回転操作の機能はこれに限られず、１回の回転操作で３枚のクレジットメダルが投入される最大ベットを指示するものとしてもよい。
【００４６】
そして、ゲーム開始後に遊技者によりスタートスイッチ１７が操作されると、まず、当選か否かの抽選が行われ、ほぼ同時に、３個すべての回転リール１２Ｌ，１２Ｍ，１２Ｒの回転が開始する。回転リール１２Ｌ，１２Ｍ，１２Ｒの回転は、たとえばそれぞれステッピングモータ（図示省略）の駆動により行われる。その後に、判定手段７５ｂが遊技者によるストップスイッチ１９Ｌ，１９Ｍ，１９Ｒのいずれかに対する押し込み操作有りと判定すると、当該ストップスイッチ１９Ｌ，１９Ｍ，１９Ｒに対応した回転リール１２Ｌ，１２Ｍ，１２Ｒの回転を停止させる。そして、遊技者が３個すべてのストップスイッチ１９Ｌ，１９Ｍ，１９Ｒに対する押し込み操作を行うと、３個すべての回転リール１２Ｌ，１２Ｍ，１２Ｒの回転が停止する。このとき、所定の図柄が所定の位置に停止すると入賞になり、ホッパーユニット３８により遊技者に対して所定枚数のメダルが払い出されるか、又は遊技者に対してリプレイなどの所定の利益が付与される。なお、メダルの払い出しに代えて、クレジットメダルとして内部に貯留されることもある。
【００４７】
以上説明したように、第２実施形態によれば、クレジットメダルの投入指示が収容体４０に対する回転操作により成されるように構成されているため、クレジットメダルの投入指示のための専用のスイッチが不要になるので、部品点数を削減することができる。また、第１実施形態と同様に、左・中・右センサ６９Ｌ，６９Ｍ，６９Ｒがほぼ同時に検出片４５の移動を検出すると、収容体４０に対する回転操作有りと判定しているため、ストップスイッチ１９Ｌ，１９Ｍ，１９Ｒに対する押し込み操作を検出するためのセンサを収容体４０に対する回転操作の検出に共用することができ、これによって、収容体４０に対する回転操作を検出するための専用のセンサが不要になるので、部品点数を削減することができるとともに、センサを配置する基板の小型化を図ることができる。また、部品点数の削減により部品の故障によるスロットマシン１の故障発生率を低減することができる。また、第１実施形態と同じ操作スイッチユニット２０を備えているため、第１実施形態と同様の効果を得ることができる。
【００４８】
なお、本発明は上記した実施形態に限定されるものではなく、その趣旨を逸脱しない限りにおいて上述したもの以外に種々の変更を行うことが可能である。例えば、上記実施形態の操作スイッチユニット２０では、収容体４０を基体４９に回転自在に支持し、回転操作可能としているが、これに限られない。図１２は異なる形態の操作スイッチユニットの正面図、図１３は図１２のXIII−XIII線断面の斜視図である。なお、図１２、図１３において、上記実施形態と同一要素には同一符号を付している。
【００４９】
図１２の操作スイッチユニット２００は、収容体４０の底面の周囲４箇所と、基体４９の底板４９ａとの間に４個のコイルばね８１を配設している。これらのコイルばね８１は、収容体４０を基体４９に昇降自在に支持するとともに、上方に向けて付勢している。一方、基体４９の上壁４９ｂにはフランジ部４９ｄが形成されており、このフランジ部４９ｄが、コイルばね８１の付勢力による収容体４０の上昇を基準位置で停止させている。また、基体４９の底板４９ａには、左右２箇所にガイドピン８３が立設され、収容体４０には、ガイドピン８３に対応する位置に、ガイドピン８３が嵌合するガイド孔８５が設けられている。そして、ガイドピン８３のガイド孔８５への嵌合によって、収容体４０の基体４９に対する昇降が鉛直方向に案内されるため、安定した昇降が可能になる。なお、左・中・右センサ６９Ｌ，６９Ｍ，６９Ｒは、上記各実施形態の操作スイッチユニット２０と同様に、左・中・右ストップスイッチ１９Ｌ，１９Ｍ，１９Ｒの後方に配設されている。このように、この形態では、コイルばね８１が本発明の「付勢体」に相当し、フランジ部４９ｄが本発明の「規制部」に相当する。また、基体４９およびコイルばね８１により本発明の「支持手段」が構成されている。このような構成において、遊技者が指で収容体４０の上壁４０ｂを下向きに押すと、左・中・右センサ６９Ｌ，６９Ｍ，６９Ｒが、ほぼ同時に検出片４５の移動を検出するため、上記各実施形態と同様に作用することとなる。これによって上記各実施形態と同様の効果を得ることができる。
【００５０】
また、上記各実施形態では、収容体４０が基準位置で停止し、かつ各ストップスイッチ１９Ｌ，１９Ｍ，１９Ｒに対する押し込み操作が行われていない状態で、各ストップスイッチ１９Ｌ，１９Ｍ，１９Ｒの検出片４５の透孔４６が、各センサ６９Ｌ，６９Ｍ，６９Ｒそれぞれの発光部・受光部間の光路上に位置するように構成し、各ストップスイッチ１９Ｌ，１９Ｍ，１９Ｒに対する押し込み操作または収容体４０に対する回転操作が行われると、各検出片４５が移動して各センサ６９Ｌ，６９Ｍ，６９Ｒの発光部からの光を遮光するようにしているが、本発明はこれに限られず、検出片４５による遮光と非遮光は逆にしてもよい。図１４は検出片によるセンサの遮光状態が異なる操作スイッチユニットの断面図である。なお、図１４では、上記実施形態と同一要素には同一符号を付し、説明の便宜上、中ストップスイッチ１９Ｍおよびコイルばね４７のみ側面を示している。
【００５１】
図１４の操作スイッチユニット２０では、検出片４５が、先端に屈曲部４５ａを有するほぼＬ字形状に形成されている。そして、操作が行われていない状態では、各センサ６９Ｌ，６９Ｍ，６９Ｒの発光部からの光が屈曲部４５ａにより遮光されている。一方、ストップスイッチ１９Ｌ，１９Ｍ，１９Ｒに対する押し込み操作または収容体４０に対する回転操作が行われると、検出片４５が後方移動または回転移動するため、いずれの場合でも屈曲部４５ａが光路から外れることになり、これによって、各センサ６９Ｌ，６９Ｍ，６９Ｒの発光部からの光が受光部によって受光される。したがって、図１４の形態でも、上記各実施形態と同様の効果を得ることができる。
【００５２】
また、収容体４０に対する回転操作を、上記第１実施形態ではスタートスイッチの機能とし、上記第２実施形態ではベットスイッチの機能としているが、本発明はこれに限られず、例えば精算スイッチ２３など、遊技者により操作される他のスイッチの機能としてもよい。ただし、上記各実施形態のように、回転リールの回転開始を指示するスタートスイッチや回転リールの回転を許可するベットスイッチとして機能させる方が、回転リールの回転を停止させるストップスイッチと機能が関連しており遊技者の誤操作を招きにくいため好ましい。
【００５３】
また、上記操作スイッチユニット２０，２００では、センサ６９Ｌ，６９Ｍ，６９Ｒとしてフォトインタラプタを用いているが、これに限られない。例えば反射型光センサや、光センサ以外のセンサなど、ストップスイッチ１９Ｌ，１９Ｍ，１９Ｒの検出片４５の移動を検出できるものであればよい。
【００５４】
また、例えば上記各実施形態では操作スイッチユニット２０をスロットマシンに適用しているが、これに限られず、遊技者などの操作者により外部から操作可能な他の遊技機や一般のスイッチ操作を要する機器に、本発明にかかる操作スイッチユニットを適用することができる。この場合において、上記操作スイッチユニット２０，２００では、操作部としてのストップスイッチを３個備えたものとしているが、これに限られず、２個または４個以上備えたものでもよい。すなわち、本発明にかかる操作スイッチユニットは、複数の操作部を備えたものであればよい。
【図面の簡単な説明】
【００５５】
【図１】本発明にかかる遊技機の第１実施形態であるスロットマシンの外観を示す正面図である。
【図２】操作スイッチユニットの正面図である。
【図３】操作スイッチユニットの平面図である。
【図４】操作スイッチユニットの右側面図である。
【図５】図２のＶ−Ｖ線断面図である。
【図６】右斜め前から見た図２のＶ−Ｖ線断面の斜視図である。
【図７】右斜め後ろから見た図２のＶ−Ｖ線断面の斜視図である。
【図８】図１のスロットマシンの電気的構成を示すブロック図である。
【図９】操作スイッチユニットに対する操作内容の判定手順を示すフローチャートである。
【図１０】本発明にかかる遊技機の第２実施形態であるスロットマシンの外観を示す正面図である。
【図１１】図１０のスロットマシンの電気的構成を示すブロック図である。
【図１２】異なる形態の操作スイッチユニットの正面図である。
【図１３】図１２のXIII−XIII線断面の斜視図である。
【図１４】検出片によるセンサの遮光状態が異なる操作スイッチユニットの断面図である。
【符号の説明】
【００５６】
１…スロットマシン、７…操作板、１２Ｌ，１２Ｍ，１２Ｒ…回転リール、１９Ｌ，１９Ｍ，１９Ｒ…ストップスイッチ（操作部）、２０，２００…操作スイッチユニット、４９ｃ，４９ｄ…フランジ部（規制部）、６９Ｌ，６９Ｍ，６９Ｒ…センサ（検出部、検出手段）、７５…ＣＰＵ、７５ａ…計時手段、７５ｂ…判定手段、７５ｃ…制御手段、４０…収容体、４５…検出片、４９…基体（支持手段）、５９…支持体（支持手段）、６３，８１…コイルばね（付勢体、支持手段）
【図１】
2005218531.tif 000003
【図２】
2005218531.tif 000004
【図３】
2005218531.tif 000005
【図４】
2005218531.tif 000006
【図５】
2005218531.tif 000007
【図６】
2005218531.tif 000008
【図７】
2005218531.tif 000009
【図８】
2005218531.tif 000010
【図９】
2005218531.tif 000011
【図１０】
2005218531.tif 000012
【図１１】
2005218531.tif 000013
【図１２】
2005218531.tif 000014
【図１３】
2005218531.tif 000015
【図１４】
2005218531.tif 000016